(57)【要約】【目的】最後まで効率良く燃焼させることが出来、悪臭を抑さえることが可能であり、ダイオキシン等の有害ガスを極力出すことなく焼却することが出来るようなペット火葬システムを提供する。【構成】筒状の炉材とこの回りに捲回した誘導コイルとから成る誘導加熱炉と、ペットの死骸を納置するものであると共に前記炉材内に挿入可能なサイズの柩部材とから成る。【選択図】　　　図１
2004101156.tif 000002
【特許請求の範囲】
【請求項１】
筒状の炉材とこの回りに捲回した誘導コイルとから成る誘導加熱炉と、ペットの死骸を納置するものであると共に前記炉材内に挿入可能なサイズの柩部材とから成るものである、誘導加熱式ペット火葬システム。
【請求項２】
柩部材を炉材内に挿入し得る位置まで移送する移送手段を備えている、請求項１に記載の誘導加熱式ペット火葬システム。
【請求項３】
柩部材を炉材内に挿入するための移動手段を備えている、請求項１に記載の誘導加熱式ペット火葬システム。
【請求項４】
移送手段がコンベアである、請求項３に記載の誘導加熱式ペット火葬システム。
【請求項５】
移送手段がステップ移動する搬送機である、請求項３に記載の誘導加熱式ペット火葬システム。
【請求項６】
車載されたものである、請求項１に記載の誘導加熱式ペット火葬システム。
【請求項７】
宗教の祭壇を備えたものである、請求項１に記載の誘導加熱式ペット火葬システム。
【請求項８】
録音された宗教の経などの再生装置を備えたものである、請求項１に記載の誘導加熱式ペット火葬システム。
【発明の詳細な説明】
【０００１】
【発明の属する技術分野】
この発明は、死んだペットの火葬を行なうことを目的とする火葬システムに係り、特に電磁コイルによる誘導加熱炉を用いて死骸の熱分解処理を行なうものに関する。
【０００２】
【従来の技術】
近年ペットを飼う人口が増加の一途を辿っており、墓地の不足の問題などが大きくクローズアップされているが、死んだペットの火葬についても種々の問題を抱えている。火葬には焼却炉を用いるが、従来の焼却炉としては、ペットの死骸を燃焼容器内に入れた後、ガスバーナーからガス炎を噴射して死骸を燃焼させるものが主流がある。
【０００３】
【発明が解決しようとする課題】
しかしながら従来の焼却炉では、ペットの死骸に対して一気に加熱しようとするもムラ焼けが起きやすく、燃焼効率が悪く、悪臭が発生すると言う問題があった。更には不完全燃焼を起こしてダイオキシン等の有害ガスを発生させてしまうと言う問題があった。
【０００４】
従ってこの発明の課題は、最後まで効率良く燃焼させることが出来、悪臭を抑さえることが可能であり、ダイオキシン等の有害ガスを極力出すことなく焼却することが出来るようなペット火葬システムを提供することにある。
【０００５】
【課題を解決するための手段及び作用】
上記課題は、筒状の炉材とこの回りに捲回した誘導コイルとから成る誘導加熱炉と、ペットの死骸を納置するものであると共に前記炉材内に挿入可能なサイズの柩部材とから成る、誘導加熱式ペット火葬システムとすることにより達成される。
【０００６】
この誘導加熱式ペット火葬システムは、誘導コイルからの電磁誘導により加熱される筒状の炉材内に、ペットの死骸を入れた柩部材を置いて、死骸を燃焼させる誘導加熱式の熱分解処理を採用しており、黒鉛や金属等から構成された炉材のみ加熱されるものであるために、エネルギー効率が良好であり、加熱や冷却の速度が速く、柩部材以外に発熱するものがないなどの利点がある。また摂氏８００度以上もの高温が得られるため、死骸が燃焼する時の悪臭を発生せず、更に摂氏１３００度まで温度を上げると完全に燃焼してしまい、排気中にはダイオキシンを実質的に含まない。
【０００７】
ここで、黒鉛や金属等から構成された炉材の形状は円形には限られない。また柩部材は木材で構成して死骸と共に燃焼させるようにしても良いし、ステンレス製等として燃焼させないようにしてもよい。後者に於いては炉材内を真空にしたりこの誘導加熱式ペット火葬システムの内部を真空にすることによって、死骸を酸素に触れさせることなく熱分解処理を行なうことが出来るように成り、都合がよい。また誘導コイルは１つだけでなく２以上のものを並列させたり２重にするなどが可能である。誘導コイルと炉材との組を複数台併設したり、またその場合に大型炉と小型炉との組み合わせにして死骸の大きさに合わせて使い分け出来るようにしてもよい。
【０００８】
次に、上述の誘導加熱式ペット火葬システムに於いて、柩部材を炉材内に挿入し得る位置まで移送する移送手段を備えているものとすることが出来る。これにより柩部材を炉材内に挿入する準備が整うまでを自動化することが出来る。なおこの移送手段をコンベアによって構成することが出来る。一般的に利用されているベルトコンベアやスラットコンベア等を利用するため、コストパフォーマンスが良好である。あるいはこの移送手段にステップ移動する搬送機を利用することが出来る。ステップ移動によって炉材と柩部材との正確な位置合せが可能に成るのである。
【０００９】
また、柩部材を炉材内に挿入するための移動手段を備えているものとすることが出来る。柩部材を炉材内に挿入するのは手動でも可能であるが、移動手段を有する構成の場合には、自動的に粛々と作業が進行する。
【００１０】
さてこのような誘導加熱式ペット火葬システムを特に自動車内に設けると便利である。ペットの死骸が出た家庭まで出張してサービスを行なうことが出来るからである。この場合の誘導コイルの電源を蓄電池に取ったり、発電機に取ったりすることが可能である。後者の場合では発電機の燃料を自動車の燃料と共通にすることが出来る。逆に前者の場合では、重油やガソリン等の化石燃料を用いていないため、極めてクリーン度が高いシステムに成り得る。何れにせよこのペット火葬用の自動車によれば、ペットが死んだ家まで出向いて、誘導加熱炉を用いて死骸の熱分解処理を行なうことが可能である。
【００１１】
また、宗教の祭壇を備えたものとすれば、特にペットの火葬前後に於いて所定の宗教による葬儀を執り行なうことが可能に成る。仏教式であれば、葬式や歛の式等を行なうのである。
【００１２】
また、録音された宗教の経などの再生装置を備えたものとすれば、再生装置から経を流すことが出来、それなりの雰囲気作りに役立つ。なお経の他にも木魚のリズム音などが録音の対象と成る。
【００１３】
【発明の実施の形態】
以下、この発明の実施形態を図面を参照しながら説明するが、この発明はこれ等の実施形態にのみ限定されるものではない。
【００１４】
（第１実施形態）
図１はこの発明の第１の実施形態を表わす。外周壁面にグラスファイバー製の断熱材１０の層が形成された円筒形状を呈するステンレス製の炉１は、その外部に誘導コイル２が捲回され、その内部にやはりステンレス製の楕円形状の筒缶３（柩部材である）が置かれて燃焼炉を構成する。筒缶３には開閉自在な蓋部３０が設けられており、その内部は燃焼室と成っている。なお誘導コイル２はここでは１段のみ設けられている。
【００１５】
筒缶３の蓋部３０からペットの遺骸を入れ、これを手作業で炉１内に挿入し、誘導コイル２に高周波電流を印加する。これによりこの筒缶３の中に納められたペットの遺骸は高温で熱分解されて灰になる。電力により加熱しているため極めてクリーン度が高い。また最後まで効率良く燃焼させることが出来、悪臭を抑さえることが可能であり、ダイオキシン等の有害ガスを極力出すことなく焼却することが出来る。而して所要の時間が経過したら電源をＯＦＦにして冷却し、筒缶３を炉１内より引き出して、蓋部３０を開けて灰や骨を取り出す。なお筒缶３に付いてその断面形状を楕円形としている。犬猫などの動物の死骸には死後硬直が見られ、手足が突っ張った状態に成ることがあるが、このような場合でも筒缶３が楕円形状であると入れやすいという特徴がある。なおまた筒缶３の楕円形状に合わせるようにして炉１を楕円形状に構成することも可能である。
【００１６】
（第２実施形態）
図２は第２実施形態の動作状態説明図である。上述の第１の実施形態に於いて炉１内に筒缶３を手作業で挿入するに先立ち、筒缶３を炉１の正面まで移送する移送手段が設けられている。この移送手段は筒缶３を順次ステップ搬送するためのものであり、２本並行に設けた固定レール４の両内側に移動カム４１のレールを設けたものであり、移動カム４１は図示しないモータとカムとによって、矢印▲１▼▲２▼▲３▼▲４▼のように動作するものである。またこの固定レール４と移動カム４１とには各々対応位置にＶ字溝４０，４２が刻設されている。このＶ字溝４０，４２の間隔は筒缶３がステップ搬送される間隔であり、上記▲２▼▲４▼がこの間隔に於ける動作経路と成っている。
【００１７】
さて移動カム４１が矢印▲１▼の上昇動作を行なうと、筒缶３は固定レール４から浮き上がり、矢印▲２▼の前進動作を行なうと、筒缶３は隣り合う次段のＶ字溝４０の上の位置に移動させられ、次に移動カム４１が矢印▲３▼の下降動作を行なうと、筒缶３はこの次段のＶ字溝４０に載置される。この後移動カム４１は、筒缶３の下端部を回避し得る程度に下降してから矢印▲４▼の行進動作を行ない、初期位置に戻る程度に上昇して止まる。上記▲２▼▲４▼の間隔は図２では間隔Ｐとして表わされている。
【００１８】
（第３実施形態）
図３は第３実施形態の模式図である。上述した第２実施形態では筒缶３を炉１の正面まで移送する移送手段に付いて説明したが、この第３実施形態には筒缶３を炉１内に挿入するための移動手段が設けられている。すなわち前記固定レール４の最奥の（炉１の正面に対応する位置の）Ｖ字溝４０に対向してシリンダ５を設け、このシリンダ５から出るピストン５０の端部が前記筒缶３を炉１内に挿入するように構成した。なお２本並行に設けた固定レール４の間の中間位置には、やはり並行となるようにストッパプレート４３を設けた。これは筒缶３が１本の固定レール４により片持ちとなるのを防ぎ、固定レール４，４間で筒缶３を水平に支えるためのものである。
【００１９】
図示しない制御回路のスイッチを入れることにより、この実施形態の誘導加熱式ペット火葬システムは次のように自動で動作する。即ち、固定レール４と移動カム４１の組の一番左側のＶ字溝４０，４２に筒缶３が置かれていると、上述の第２実施形態で説明したように、移動カム４１はこの筒缶３を一番右側のＶ字溝４０の所まで移動させてから停止する。この位置は筒缶３がシリンダ５に対向する位置である。次にシリンダ５からピストン５０を押し出し、ピストン５０により筒缶３を炉１内に挿入する。実は誘導コイル２は筒缶３の方向に延びる２本の並行なレール１１，１１の上に移動可能に載置されており、かつ前記シリンダ５はやはり筒缶３の方向に延びる２本の並行なレール５１，５１の上に移動可能に載置されている。従って誘導コイル２の全体を筒缶３の全長の２分の１だけ筒缶３の方向に移動させ、シリンダ５の全体を筒缶３の全長の２分の１だけ筒缶３の方向に移動させるようにして、最終的に筒缶３を炉１内に挿入する。なお図３は構成と動作状態とを示す模式図であるから各部の正確な寸法はこの図面には反映されていない。
【００２０】
（第４実施形態）
図４は第４実施形態の模式図である。上述した第３実施形態では筒缶３は順次ステップ搬送されるように構成されていたが、この第４実施形態の移送手段にはベルトコンベア４４を利用した。ベルトコンベア４４は両側の枠体４５，４５の間に設けられている。
【００２１】
またこの実施形態では大きさの異なる２つの炉（断熱材１２や誘導コイル２０の方が小さい）を併設している。従ってペットの遺骸に合うサイズの筒缶を大小揃えておき、操作者は筒缶３の大きさに合う方の炉を決めて、その位置まで筒缶をベルトコンベア４４で運ぶようにする。
【００２２】
（第５実施形態）
図５は第５実施形態の模式図である。これまでは横置きの炉に付いて説明したが、ここでは縦置きの炉を解説する。入り口を上に向けた２つの炉を併設すると共に、筒缶３１をこの炉の中まで移動させるためのホイスト４６を設けた。このホイスト４６は吸着部４７を備えて筒缶３１を吊り上げることが出来ると言うものである。またホイスト４６は横設されたガイドレール４８にて炉上を移動することが出来るように構成されている。従ってホイスト４６で筒缶３１を吊り上げた後、ガイドレール４８に添って炉の真上まで筒缶３１を移動させ、筒缶３１を炉の中に下ろすようにする。
【００２３】
（第６実施形態）
図６は第６実施形態の模式図であるが、この実施形態の誘導加熱式ペット火葬システムはトラック６内に設けられている点に特徴を有する。このトラック６には荷台６０があり、この荷台６０の内部に設けた台座６１の上に炉と筒缶３とが載置される。図示しないステンレス製の炉１（図１を参照）の外周壁面にグラスファイバー製の断熱材１０の層が形成され、その外部に誘導コイル２が捲回されている。筒缶３にはその端部にフック３２が取り付けられている。この筒缶３が載置される部分の台座６１は、筒缶３がちょうど炉１に挿入される高さに合わせて作られている。また荷台６０の底部には、前記誘導コイル２等に高周波電力を供給するための発電機６２、炉１からの排ガスを奇麗にするためのガス浄化装置６３、炉１を冷却するための冷却水を供給するための水槽６４がそれぞれ設けられている。
【００２４】
この実施形態によればペットの死骸が出た家庭からの依頼を受けて、トラック６を現地まで派遣することが出来る。而してこのトラック６内では誘導加熱炉を用いて死骸の熱分解処理を行なうことになる。ペットの死骸を筒缶３に納置し、荷台６０の横側から筒缶３を入れ、これを台座６１の上を滑らせて炉１の口まで運び、それから炉１内に押し込むようにして、誘導加熱炉のスイッチを入れる。焼き上がって冷却したらフック３２を以て筒缶３を炉１より引き出し、台座６１の上を滑らせて荷台６０の横側から取り出す。なお、第２実施形態で説明したような筒缶３の移送手段を取り付けることも可能であり、これに付いては次の第７実施形態で説明する。
【００２５】
なお荷台６０の後部には祭壇７が設けられている。この祭壇７の扉は荷台６０の後部壁面に設けられている。またこの祭壇７の中には、録音された読経などを再生するための音響装置８が設けられている。従って利用客の要求によっては、ペットの火葬前後に於いて所定の宗教による葬儀を執り行なうことが出来るのであり、音響装置８から読経を流せばそれなりの雰囲気作りに役立って、利用者を満足させることが可能である。
【００２６】
（第７実施形態）
図７は第７実施形態の模式図であり、トラック６の荷台６０を後方より見た図である。祭壇は観音開きと成る観音扉７０を有し、これを開ければ祭壇が現われる。荷台６０の右側には、外部に引き出した移動カム４１が見られる。この移動カム４１のＶ字溝４２に横断面が円筒形状の筒缶３３を載せれば、後は全自動で誘導加熱から取り出しまでを行なわせることが出来るように設計されている。
【００２７】
さてこれまで説明した儀式と使用する装置との関係を図８のフローチャートにて示した。日本では仏教式による儀式の割合が極めて高いことが分かっている。納棺は筒缶にペットの死骸を入れる作業である。火葬は誘導コイルの炉内に筒缶を入れて死骸を焼く作業である。トラックで現地に駆け付け、葬式である礼拝を行なう。また火葬の前にも歛の式を行なう。そして納骨の後、ペットの灰を利用者に引き渡して終了する。
【００２８】
（その他の実施形態）
なおこの発明は上述した実施形態に限定されないから、例えば１つの炉に対して誘導コイルを複層化することが可能であり、また複数の誘導コイルを併設することが出来る。筒は必ずしも円形である必要はない。また柩部材の形状も任意であり、その素材もステンレス、セラミック、カーボンなど任意である。柩部材内をほぼ真空状態にし得るような抜気手段を、この発明の構成中に取り付けることが出来る（図示せず）。また柩部材は、そのまま墓地や家庭内のペット用仏壇と組み合わされる骨壷とすることが可能である。なお自動車にこの発明を組み込む場合では、トラックではなく霊柩車とする構成なども可能である。
【００２９】
【発明の効果】
以上、この発明は、筒状の炉材とこの回りに捲回した誘導コイルとから成る誘導加熱炉と、ペットの死骸を納置するものであると共に前記炉材内に挿入可能なサイズの柩部材とから成る、ペット火葬システムとしたものである。
【００３０】
誘導コイルからの電磁誘導により熱分解処理を行なう誘導加熱方式であることにより、最後まで効率良く燃焼させることが出来、悪臭を抑さえることが可能であり、また適切な温度管理によりダイオキシン等の有害ガスを極力出すことなく処理することが出来るように成り、所期の課題を達成している。
【図面の簡単な説明】
【図１】第１実施形態の部分断面図である。
【図２】第２実施形態の動作状態説明図である。
【図３】第３実施形態の模式図である。
【図４】第４実施形態の模式図である。
【図５】第５実施形態の模式図である。
【図６】第６実施形態の模式図である。
【図７】第７実施形態の模式図である。
【図８】同実施形態のフローチャートである。
【符号の説明】
１　　炉
１０　断熱材
１１　レール
１２　断熱材
２　　誘導コイル
２０　誘導コイル
３　　筒缶
３０　蓋部
３１　筒缶
３２　フック
３３　筒缶
４　　固定レール
４０　Ｖ字溝
４１　移動カム
４２　Ｖ字溝
４３　ストッパプレート
４４　ベルトコンベア
４５　枠体
４６　ホイスト
４７　吸着部
４８　ガイドレール
５　　シリンダ
５０　ピストン
５１　レール
６　　トラック
６０　荷台
６１　台座
６２　発電機
６３　ガス浄化装置
６４　水槽
７　　祭壇
７０　観音扉
８　　音響装置
【図１】
2004101156.tif 000003
【図２】
2004101156.tif 000004
【図３】
2004101156.tif 000005
【図４】
2004101156.tif 000006
【図５】
2004101156.tif 000007
【図６】
2004101156.tif 000008
【図７】
2004101156.tif 000009
【図８】
2004101156.tif 000010